(57)【特許請求の範囲】
【請求項１】
第１のステーション（Ａ）と少なくとも一つの第２のステーション（Ｂ）との間に配置された、少なくとも1人の利用者を囲むようにされる空間（２３）を形成する外側本体を備えるベアリング構造と、二つのボードと、該少なくとも一つのボードを移動せしめるための機械的システムとを備えた垂直階段であって、
前記機械的システムは、コラム形状を有する少なくとも一つのガイド（４１）と、一つのボード（３）に接続された少なくとも一つの牽引手段（４２）と、前記牽引手段（４２）を動かすことを可能にする少なくとも一つの自由車輪（４３）と、前記牽引手段に接続され、一つのボードを持ち上げるようにされる少なくとも一つのカウンターウエイト（４４）（釣合い重り）と、異なる操作形態の際に、電気エネルギーを回収するか、前記ボードの動きをアシストする、少なくとも一つの制御車輪（４５）、前記階段に備えられたデバイス類を制御する少なくとも一つの制御装置（５）を備え、
ここで、前記少なくとも一つの牽引手段（４２）は、制御車輪（４５）に配置され、前記少なくとも一つの牽引手段（４２）は、制御車輪（４５）と前記自由車輪（４３）間でクローズド・パス（閉路）を形成し、前記自由車輪は（４３）は少なくとも一つの回転ベアリングによって第１シャフト“Ｓ’”にスプライン結合され、前記制御車輪（４５）は、第２シャフト“Ｓ”にスプライン結合されており、回転ベアリングを備えてなる支持体（４６１）によって支持され、前記制御車輪（４５）は、前記制御装置（５）によってコントロールされ、操作配列機能において、前記車輪（４５）が所定の方向に回転し得るようにされ、前記機械的システム（４）は、二つのミラー状構造体を実現するようにされ、各々のミラー状構造体は、一つのボード（３）の垂直方向の動きを可能にするようにされ、前記ボードは、２つのミラー状構造体間に配置され、  二つのボード（３）は、前記機械的システム（４）に組み込まれた少なくとも一つのガイド（４１）に沿って少なくとも一つのスライド（３１）によってスライド可能に構成され、前記機械的システム（４）は、前記ボード上の少なくとも一部に少なくとも一人の利用者の重量を分配し、かつ、前記利用者が前記２つのステーション間を垂直軸に沿って移動したい方向に、前記少なくとも一つのボードを該垂直軸（Ｚ）に沿って移動せしめる、
ことを特徴とする垂直階段。
【請求項２】
前記機械的システム（４）が、さらに、
前記制御車輪（４５）に接続された少なくとも一つのジェネレータ（４６）を備えていることを特徴とする請求項１に記載の垂直階段。
【請求項３】
前記垂直階段が、上昇操作形態、下降操作形態及びリコール操作形態とからなり、
上昇操作形態において、前記機械的システム（４）は、前記ボード（３）をより下方のステーションからより上方のステーションへ移動せしめ、
下降操作形態において、前記機械的システム（４）は、前記ボード（３）をより上方のステーションからより下方のステーションへ移動せしめ、
リコール操作形態において、前記機械的システムは、前記ボード（３）を所望のステーションに向かって移動せしめる、
ことを特徴とする請求項１〜２のいずれか一項に記載の垂直階段。
【請求項４】
前記少なくとも一つのジェネレータが、トランスミッション手段によって前記少なくとも一つの制御車輪に接続され、下降操作形態において該制御車輪の回転から生まれる電気的エネルギーを回収し、その結果、当該電気的エネルギーを少なくとも一つのバッテリーパックに蓄えることを特徴とする請求項３に記載の垂直階段。
【請求項５】
前記少なくとも一つのジェネレータが、トランスミッション手段によって前記少なくとも一つの制御車輪に接続され、リコール操作形態において、スタート地点のステーションから目的とするステーションへの前記ボードの移動をサポートすることを特徴とする請求項３に記載の垂直階段。
【請求項６】
前記リコール操作形態が、接続されたクランクによって利用者によりマニュアル操作されることを特徴とする請求項３に記載の垂直階段。
【請求項７】
前記機械的システムが、存在がなければ前記ボードがより上方のステーションへ再度移動してしまうことになる、当該ボードの当該再移動を阻止するためのブロック装置（４０）備えていることを特徴とする請求項１〜６のいずれか一項に記載の垂直階段で、前記ブロック装置（４０）は、前記制御車輪（４５）の回転を妨げることを可能にする電子機械的システムか、または前記ガイド（４１）に沿ってスライド（３１）のスライドの動きを封じてボード（３）の偶発的な動きを干渉するようにされた機構である前記垂直階段。
【請求項８】
前記ベアリング構造が、あるステーションから他のステーションに移動する間、利用者を収容するスペースにアクセスできるように、各ステーションに対応して配置された少なくとも一つの、インターロックされ且つスライド可能なドアを備えていることを特徴とする請求項１に記載の垂直階段。
【請求項９】
前記ドアが、該ドアが正しく閉まっていることを検知するための制御装置に接続された、少なくとも一つの安全マイクロスイッチ及び少なくとも一つの可聴式警告装置を備えていることを特徴とする請求項８に記載の垂直階段。
【請求項１０】
前記垂直階段に異なる電子的装置と電子機械的装置が組み込まれ、それぞれが直接配電設備主要部に接続されていることを特徴とする請求項９に記載の垂直階段。
【発明の詳細な説明】
【背景技術】
【０００１】
本発明は、ユーザーを垂直軸（Ｚ）に沿って移動できるようにした動的垂直階段に関し、その移動に消費されたエネルギーの少なくとも一部を回収し再利用するタイプの動的垂直階段（以下、単に「垂直階段」という）に関する。
【０００２】
例えば、はしごのような実質的に垂直軸（Ｚ）方向にユーザーの移動を可能にする階段は知られている。
【０００３】
建造物の技術分野では、あるフロアから別のフロアへ移動するには、いわゆる“ステップ”（階段）と呼ばれている複数の水平構造物からなる階段が利用されており、当該ステップは、隣接するステップによって妨げられることなく複数のステップの一つにユーザーが足を置くことができるように、異なる高さで配置されている。
【０００４】
階段の傾斜やピッチは、階段の寸法の一つの機能として定められるもので、その高さや距離を異なるように工夫されている。通常、７５〜９０゜の範囲のピッチをもつ階段は、ユーザーが階段に沿って移動している間の偶発的な事故を避け身の安全を保証するために、足の使用に加えさらに手の使用をも必要としているので、手製あるいは手動階段といわれている。
【０００５】
一方、家屋においては、隣接するフロアを結合する階段の傾斜は、２４〜４５゜の範囲が一般的である。それ故、フロア間の高さの違いをカバーするため、階段は、少なくとも高さ方向の垂直差に等しくなるようにその長手方向に延長する構造が必要となる。
【０００６】
さらに、長手方向の占有スペースを低減するため、例えば、ビルのロビーに見られるような実質的にらせん状の通路を有するタイプの階段も知られており、その一方では、階段を横方向に延長して、その結果、当該階段を支持するのに適するように非常に複雑な構造をとるタイプのものも知られている。
【０００７】
さらに、長手方向と横方向の両方の寸法を低減したらせん状階段も知られているが、当該目的のために湾曲角度が低減された構造になっている。このような階段は非常に実用的ではないばかりか、ユーザーにとっても安全なものとはいえない。実際、このタイプの階段は、移動に利用できるスペースが非常に低減されているため、大きな物のフロア間の移動には適していない。
【０００８】
垂直軸方向への移動に適した装置として、例えば、エレベータが知られている。エレベータの設置にはコストがかかりスペースも必要となるので、寸法上の制約を受ける一般の家屋への導入は難しいのが現実である。実際、いろんなユーザーや、あるいは異なるフロア間で利用できるようにするため、エレベータには非常に強力なアクチュエータが不可欠である。
【０００９】
さらに、エレベータの使用には、個々の家屋においては一般のユーザーにはほぼ不可能な非常に厳しいルールに基づいた監視が不可欠である。
【００１０】
本発明の目的は、ユーザーを垂直軸方向に移動できるように機械的なシステムを備えた動的垂直階段を提供することにより上記従来の種々の問題を解決することにある。当該機械的なシステムは、垂直軸方向への移動中に消費したエネルギーの少なくとも一部を回収できるものである。回収したエネルギーは垂直階段に組み込まれた種々の装置の操作を保証するために用いられる。
【００１１】
［発明の詳細な説明］
本発明の一つの観点は、別途添付の書面に記載された独立請求項１に記載した特徴を有した垂直階段である。
【００１２】
付随する特徴は従属請求項に記載されている。
当該垂直階段のさらなる特徴と利点は、添付の図面に記載された少なくとも一つの態様についての詳細な記載によって最もよく理解される。
【図面の簡単な説明】
【００１３】
【図１Ａ】２つのステーションの中に位置する本発明に従う垂直階段を示し、下方ステーションに位置する階段を示す。
【図１Ｂ】２つのステーションの中に位置する本発明に従う垂直階段を示し、情報ステーションに位置する階段を示す。
【図２Ａ】図１Ａとは異なる図であり、当該垂直階段に組み込まれた機械的システムの一態様を示し、前方から見た当該機械的システムを示す。
【図２Ｂ】図１Ｂとは異なる図であり、当該垂直階段に組み込まれた機械的システムの一態様を示し、当該機械的システムの正面断面図である。
【図３】図２Ａに示したボードを備えた機械的システムの結合部分を示す。
【図４】前記図面に示した機械的システムに組み込まれたボードを示す。
【図５】本発明に従う垂直階段に組み込まれた制御装置のフローチャートを示す。
【００１４】
上記の各図面によれば、本発明の垂直階段は、第１のステーション“Ａ”と少なくとも一つの第２のステーション“Ｂ”との間に配置されたベアリング構造２と、機械的システム４に組み込まれた少なくとも一つのガイド４１に沿って、少なくとも一つのスライド３１によってスライドできる少なくとも一つのボード３とを備えており、前記機械的システムは前記少なくとも一つのボード３を前記ガイド４１に沿って移動させるためのものである。
【００１５】
前記機械的システム４は、前記少なくとも一つのボード３を、当該ボード３の少なくとも一部分上で、少なくとも一人のユーザー“Ｕ”の重量の分布の作用として、垂直軸“Ｚ”に沿って移動できるように作動し、また、前記２つのステーション間、例えば、第１のステーション“Ａ”と少なくとも一つの第２のステーション“Ｂ”（あるいはその逆も同様）の間で、前記ユーザー“Ｕ”が前記垂直軸に沿って移動しようとする方向の作用として、垂直軸“Ｚ”に沿って移動できるように作動する。
【００１６】
前記ベアリング構造２は、階段の全体構造を支持するためのものであり、購入者のニーズの機能として好ましくは円形若しくはその他の形状をした外側本体を備えている。さらに、ベアリング構造２の該外側本体は、少なくとも一人のユーザー“Ｕ”が利用できるようなスペース２３を形成している。
【００１７】
前記機械的システム４は、好ましくは、ユーザーに少なくとも部分的に見えないようにベアリング構造２の内側に配置される。
【００１８】
前記機械的システムは、好ましくは、少なくともその一部が前記第１のステーションＡ、好ましくは地面に対応して配置される。
【００１９】
本発明によれば、第１のステーションＡは、少なくとも一つの第２のステーションＢに関して、垂直軸Ｚのより低部の位置に配置される。本明細書では具体的に例示はしていないが、前記垂直階段の一つの態様では、複数のステーションＢを備えている。
【００２０】
前記ベアリング構造２は、好ましくは、例えば手でスライドすることにより開閉できる少なくとも一つのドア２２を備えており、該ドアは前記ステーション（Ａ、Ｂ）のそれぞれに対応するように、かつユーザーＵが前記スペース２３にアクセスできるように配置されている。
【００２１】
前記各ドア２２は、内側から施錠できるタイプのものが好ましく、さらに、本明細書では具体的に例示はしていないが、制御装置５に接続される少なくとも一つの安全マイクロスイッチと少なくとも一つの可聴式警告装置を備えている。かかるマイクロスイッチはドア２２が正しく閉まっていることを検知するために用いられる。また、かかる可聴式警告装置は、マイクロスイッチがドア２２の閉まりに異常を検知したとき、前記制御装置５によって作動し、ユーザーにドア２２が正しく閉まっていないことを警告する。その結果、当該制御装置５は、また、ドア２２が正しく閉まっていることを検知するために用いられる。
【００２２】
図１Ａと図１Ｂに例示した態様では、２つのドア２２が各ステーション（Ａ、Ｂ）に対応して配置され、異なる操作形態の間、ユーザーＵがスペース２３にアクセスし、事故が起きないようにユーザーＵを内側スペース２３に確実に収容される。
【００２３】
前記少なくとも一つのボード３は、さらに、例えばエンボス加工されたシートのようなスリップ防止シート３０、例えばフランジによって該ボード３に接続された前記少なくとも一つのスライド３１、該ボード３を例えばベルト又はチェーンのような牽引手段４２に固定するための固定手段３２、及び該ボード３を水平に保持し、ユーザーＵの重量を支持するための少なくとも一つの補強部材３３から構成されている。
【００２４】
機械的システム４は、好ましくは円形状パイプのような少なくとも一つのカラム（柱）を備えた少なくとも一つのガイド４１、前記少なくとも一つの牽引手段４２、該牽引手段４２を可動するための少なくとも一つのカウンターシャフト４３、該牽引手段４２に接続され、前記ボード３の少なくとも一部で休息するユーザーＵの重量との重量バランスをとるための少なくとも一つのカウンターウエイト４４、異なる操作形態の間、電気的エネルギーを回収するため、あるいは、前記少なくとも一つのボード３の動きをサポートするための少なくとも一つの制御された車輪４５、及び、本発明に従う階段に組み込まれた種々の装置を制御するための少なくとも一つの制御装置５から構成されている。少なくとも一つの発電機４６としては、独立して励起された直流（ＤＣ）モータが好ましい。
【００２５】
図２Ａ及び図２Ｂには、２つのミラー状構造からなる機械的システム４の態様が示されており、それぞれの各ミラー状構造は、ユーザーの足が置かれ、かつ可動し得るボード３に結合されている。さらに、例えばピニオン（小歯車）のような各制御車輪４５は、前記制御装置５によってコントロールされる。該制御装置は、予め所定の操作形態において、前記車輪４５が一方向に回転し得るように作動し、その結果、該制御車輪４５自身が当該方向とは反対方向に回転しないように作動する。前記制御装置５は、適切なコマンド（指令）が与えられた後、制御車輪４５が両方向に回転し得るように作動する。
【００２６】
機械的システム４の各構造において、少なくとも一つの牽引手段４２は、前記車輪４５に配置される。該牽引手段４２は、固定車輪４５と前記カウンターシャフト４３間にクローズド・パス（closed path，閉路）、好ましくは、少なくとも一つの回転ベアリングによって第１シャフト“Ｓ’”にスプライン結合される自由車輪を生み出す。前記制御車輪４５とカウンターシャフト４３は、好ましくは最上部に位置するステーションに対応するように、それぞれ第１ステーションＡと第２ステーションＢに密接に配置されている。
【００２７】
各制御車輪４５は、第２シャフト“Ｓ”にスプライン結合されており、回転ベアリングソ備えてなる支持体４６１によって支持されている。ジェネレータ４６はトランスミッション手段によって該第２シャフトに結合している。
【００２８】
かかる少なくとも一つのジェネレータ４６は、予め所定の操作形態において、前記制御車輪４５の回転によって電流を発生せしめ、一方、他の予め所定の操作形態においては、当該それぞれのジェネレータは、アクチュエータとして作動し、ユーザが本発明の垂直階段を利用するとき、少なくとも一つのボード３が２つのステーション間を動き得るようにアクチュエータとして作動する。
【００２９】
機械的システム４のミラー状構造の一つに組み込まれた各制御車輪４５は、好ましくは、前記トランスミッション手段によって単一のジェネレータ４６に結合されている。特に、当該トランスミッション手段は、例えば、図２Ａ及び図３に示すように、制御車輪４５とジェネレータ４６とが結合しうるように“Ｔ”形状のトランスミッションを形成しうるためのトランスミッション・シャフト４６０とトランスミッション・エレメント４６２からなっている。
【００３０】
本発明に従う垂直階段は、下記の操作形態からなる。
（１）上昇形態：  機械的システム４は少なくとも一つのボード３を“より下方の”ステーションから“より上方の”ステーションへ移動させるように配置されている。
（２）下降形態：  機械的システム４は少なくとも一つのボード３を“より上方の”ステーションから“より下方の”ステーションへ移動させるように配置されている。
（３）リコール（取り消し）形態：  機械的システム４は少なくとも一つのボード３を望むステーションへ移動させるように配置されている。
本発明においては、「より下方のステーション」及び「より上方のステーション」という用語は、軸（Ｚ）に関して、一方が他方の下に（その逆も同様に）位置するようにそれぞれが配置される２つのステーションを意味している。
【００３１】
上昇形態において、制御装置５は、制御車輪４５が一方向へ回転するように作動し、その結果、ボード３がより下方のステーションからより上方のステーションへ移動する。例えばステーションＡのようなより下方のステーションから、例えばステーションＢのようなより上方のステーションＢへのボード３の移動は、該ボード３を上昇させるために用いられたカウンターウエイト（「釣合い重り」とも言う）４４によって起こる。該ボード３の偶発的な上昇移動は、利用者自身の重量によって起こらないようになっている。
【００３２】
２つのボード３は、例えば好ましくはゴム製又は布製のベルト、あるいは、例えば好ましくは金属製又はプラスチック製の少なくとも一つのブラケットによって、利用者の安全を保証するため、当該２つのボードの高さの相違が最大値を超えないように、お互いに拘束するように配置されていることが好ましい。利用者は自身が利用する全てのステップと共に当該２つのボード３の高さの相違を自由に選択することができる。下降操作形態においては、制御車輪４５は上昇形態で起こる回転とは反対方向に回転し、当該制御車輪４５は、もはや制御装置５によってはコントロールされないことが好ましく、さらには、ジェネレータ４６は電気的エネルギーを生み出すダイナモ（発電機）として機能する。このような操作形態においては、各ボード３は利用者の重量のおかげでより情報のステーションからより下方のステーションへ移動することになる。
【００３３】
本発明の操作形態では、前記ジェネレータ４６は、トランスミッション手段によって前記制御車輪４５に接続され、該制御車輪４５の回転から電気的エネルギーを回収するために用いられるもので、回収された電気的エネルギーは少なくとも一つのバッテリーパック“Ｅ”に蓄えられる。
【００３４】
さらに、前記ジェネレータ４６は、同様に制御装置５によってコントロールされ、例えば、毎分回転数を維持することによりボード３の下降移動をコントロールし、その結果、制御車輪４５の回転速度は一定になる。このようなコントロールは、例えば位置センサ、ロードセル、タコメータなどの複数のセンサ５１によってなされるが、当該センサは垂直階段に組み込まれた種々の装置をコントロールするのに役立つ種々のパラメータを検知するために用いられる。当該センサ５１の利用については本明細書では詳細には述べないが、当業者によればその作動原理はよく知られているところである。
【００３５】
前記少なくとも一つのバッテリーパック“Ｅ”は、ジェネレータ４６によって生み出された電気的エネルギーを直流電流として蓄えるもので、好ましくはリチャージ可能な少なくとも一つのバッテリーからなる。
【００３６】
機械的システム４は、前記牽引手段４２によって接続されているカウンターウエイト４４によって、存在がなければ前記ボード３がより上方のステーションへ再度移動してしまうことになる、当該ボードの当該再移動を阻止するためのブロックシステム４０（以下、「ブロック装置ともいう」）を備えている。本発明の範囲を限定するわけではないが、本発明の別の態様では、当該ブロック装置４０は電気機械的システムであり、制御装置５に接続されたブロック・プッシュボタン“Ｆ”が押された後、次のコマンドを受け取るまで制御車輪４５の回転をブロックする。これもまた本発明の範囲を限定するわけではないが、本発明のさらに別の態様では、当該ブロック装置４０は、ボード３が偶発的に移動しないようするためのメカニズム（機構）であり、例えば、スライド３１がガイド４１に沿ってスライドしないように、軸Ｚに沿って該ボード３の動きを干渉する。
【００３７】
２つのステーション、即ち、より下方のステーションＡとより上方のステーションＢの場合、より上方のステーションＢのブロック装置４０は、前記ボード３を停止するために前記ガイド４１上に配置された機械的停止装置であり、当該ボード３がより上方のステーションＢに到達したとき、より下方のステーションＡにおいては、当該ブロック装置４０は、ベアリング構造２に適合し、ボード３がより上方のステーションＢの方向へ移動しないように阻止するためのストライカー要素（ドアを閉鎖状態に保持するための部材）として機能する。
【００３８】
リコール操作形態では、ボード３は、コントロールされた方法で、初期のステーションから本発明の垂直階段を利用するために利用者が待つ目的のステーションへ移動する。
【００３９】
本発明の範囲を制限しない第１の態様においては、あるステーションから目的のステーションへのボード３のリコールは、両制御車輪４５に接続された、例えばクランクのようなリコール機構によってマニュアル操作によって行うことができる。このような実施態様におけるリコール操作形態では、制御装置５は、ボード３が詳細には例示しない前記リコール機構によって移動できるように、制御車輪４５を自由に回転させる。
【００４０】
利用者が立つステーションの機能として、及び前記ボード３が以前位置していたステーションの機能として、制御装置５は、制御車輪４５を適切な方向へ回転させ、該ボード３を目的とされたステーションに到達させる。さらに、制御装置５は、ジェネレータ４６がアクチュエータとして機能するように該ジェネレータ４６をコントロールし、スタート地点のステーションから目的のステーションへのボードの移動を助け、制御車輪４５を回転させ、ボード３を目的のステーションへリコールさせる。
【００４１】
前記ボード３を移動させるためにジェネレータ４６が必要とするエネルギーは、下降操作形態において生み出されるエネルギーが蓄えられるバッテリーパック“Ｅ”から得られる。
【００４２】
上昇操作形態においては、利用者は下記の連続工程を演ずることが好ましい。
（１）より下方のステーションに対応するドアを開ける。
（２）スペース２３に進入しドア２２を閉める。
（３）各ボード３の上に片足を置く。
（４）ブロック装置４０を無効にする。
（５）第１の足を持ち上げ、その間利用者自身手すり２４につかまりバランスを保ち、持ち上げられた足に対応する第１のボード３が垂直方向上方へ移動する。
（６）軸Ｚに沿った目的の高さに到達したとき、第１の足を持ち上げることを止め、利用者の体重を第２のボード３へ移動する。
（７）第２の足を持ち上げ、第２のボード３が垂直方向上方へ移動するようにする。
（８）軸Ｚに沿った目的の高さに到達したとき、第２の足を持ち上げることを止め、利用者の体重を第１のボード３へ移動する。
（９）目的とするより上方のステーションに到達するまで、上記（５）〜（８）の工程を繰り返す。
（１０）ブロック装置４０を有効にする。
（１１）ドア２２を開け、自身の背中を後ろにして再度ドアを閉める。
【００４３】
足の持ち上げを止め利用者の体重を一つのボード３から他のボード３へ移動させる工程により、ボード自身が現在位置でブロックされることになり、前記制御車輪４５に接続され、電気的にブロックされている牽引手段４２により、当該ボード３が選択されたレベルよりも下方に移動しないようになっており、また、当該制御車輪は、本発明の操作形態において、制御装置５によって強いられた方向にだけ回転することになる。
【００４４】
かかるシステムを利用する人は、ボード３が上方に移動し得るようにそれぞれの足を着実に持ち上げなければならない。実際のところ、上昇操作形態では、前記ボードは、該ボードが固定された前記牽引手段４２に接続されたカウンターウエイト４４により、ステーションＢの方向に移動し続ける傾向がある。
【００４５】
すでに述べたように、前記制御車輪４５により牽引手段４２がより下方のスタート位置のステーションの方向へ移動しないようになっているので、それぞれの足を使ってボード３を停止することにより、当該ボード自身を選択された位置に留めることができる。
【００４６】
利用者はこれら各それぞれの工程を演ずることにより格別身体的な努力をすることなしに上方に移動することができ、さらに、利用者は、自身の手を使うことによりスペース２３内に設置された少なくとも一つの手すり２４をつかむことができる。利用者は、異なる操作形態の間、当該手すり２４により自身のバランスを保持することができる。
【００４７】
下降操作形態においては、利用者は下記の連続工程を演ずることが好ましい。
（１）より上方のステーション、例えばステーションＢに対応するドア２２を開く。
（２）スペース２３に進入し、ドア２２を閉める。
（３）下降ボタン“Ｄ”を押す。
（４）ボード３が目的とするより下方のステーションに下降到達するまで待つ。
（５）ブロック装置４０を有効にする。
（６）目的のステーションに到達したらドア２２を開け、自身の背中を後ろにして再度ドアを閉める。
【００４８】
下降操作形態において、ジェネレータ４６は電流発生器として機能し、制御車輪４５の回転によって生み出された機械的エネルギーを電気的エネルギーに変換してバッテリーパックＥに蓄える。前記制御装置５によってコントロールされる当該ジェネレータ４６は、所定の毎分回転数による一定の速度で回転し、すでに述べたように、ボード３の下降速度をコントロールする。
【００４９】
マイクロスイッチを備えたドア２２が閉められたとき、信号が制御装置５に送られ、該制御装置５により制御車輪４５は電気的にコントロールされ、例えば、両方向に自由に開放されたり、あるいは回転されたりする。
【００５０】
リコール操作形態においては、利用者は下記の連続工程を演ずることが好ましい。
（１）コールボタン“Ｃ”を押す。
（２）ボード３がボタンＣが押されたステーションに到達するまで待つ。
（３）ドア２２を開け、スペース２３に進入する。
（４）前述の上昇操作形態又は下降操作形態の各工程を行う。
【００５１】
かかるリコール操作形態において、工程（２）でのボード３の移動は、アクチュエータとして機能するジェネレータ４６によって起こり、その結果ボード３を移動させる。当該ジェネレータはバッテリーパックＥに蓄えられた電気的エネルギーを利用することができ、当該電気的エネルギーは下降操作形態において回収されたものである。
【００５２】
制御装置５は、ボタンＣが押された瞬間にボードの位置を決め、ジェネレータ４６を正しくコントロールすることができ、さらに、機械的システム４をコントロールし、特に、ボード３がボタンＣが押されたステーションに移動できるよう制御車輪４５をコントロールする。
【００５３】
前記コールボタンＣは、すべてのステーション（Ａ、Ｂ）のドア２２に近接して配置するのが好ましい。
【００５４】
全てのボタン（Ｃ、Ｄ、Ｆ）はコントロールパネル２６に配置される。かかるコントロールパネル２６は各ステーション（Ａ、Ｂ）に対応して、かつ階段のスペース２３の内側に配置される。
【００５５】
前記コントロールパネル２６は、さらに、本発明の垂直階段を利用する上で有用なボタン又は電気的デバイスを備えているのが好ましい。安全上、制御装置５は、全てのドア２２が正しく閉じられているときのみ、既述のリコール操作形態を作動する。
【００５６】
同様に、制御装置５は、利用者がスペース２３に進入後、全てのドア２２が正しく閉じられているときのみ、既述の上昇及び下降操作形態を作動する。
【００５７】
さらに、本発明に従う垂直階段の別の実施態様においては、異なる電子的デバイスと電子機械的デバイスが、直接配電設備主要部に結合されている。いずれにしても、本発明の垂直階段は、少なくとも一つの安全なバッテリーパックＥを備えている。かかる態様においては、電力は、当該配電設備主要部により、全ての電子的デバイスと電子機械的デバイスに直接供給される。当該バッテリーパックＥは、配電設備主要部の一時的故障の場合、操作条件を適切に作動させることを保証ためには必要なものである。かかる態様において、機械的システム４は、ボード３の下降移動をコントロールするための電気機械的ブレーキクラッチと共に備えられることが好ましく、そのことにより、ジェネレータ４６はエネルギー回収のためのダイナモとしてはもはや用いられる必要はない。
【００５８】
制御装置５は、本明細書では具体的に例示はしないが、例えば電気的キャビネットのようなコントロールユニットに配置されるのが好ましい。本発明に従う垂直階段の正しい操作に必要なバッテリーパックＥと電気及び電子回路は、電気的キャビネットの内部に配置しても良い。
【００５９】
本発明に従う垂直階段は、個人の家屋の内部、又はビルのあるフロアから他のフロアへ人々を移動させるビルの内部に設置することができる。
【００６０】
本発明の垂直階段は、部屋が狭いため平坦あるいは長い階段を設置できないときに利用される伝統的ならせん状階段に取って代わりうる理想的な解決策である。装置は独立しており、エネルギー消費を低減し、さらに、容易に応用及び導入され得、便利さ及び家屋の層床面積を増大させ得るというより大きな利点を有する観点から、伝統的ならせん状階段に取って代わり得る。事実として、より上方のフロアへの垂直上昇移動は、移動するボードに依存して物理的なアンバランスを引き起こすことによって起こる。さらに、上昇操作形態の間にボード３の高さの相違を選択することにより、どの年代の人々にも快適に垂直階段を利用することができる。本発明に従う垂直階段は、存在する高さの相違という問題を克服するために、上昇高さと（踏み込み）奥行きとの比に関する事前の予備的研究は一切必要なく、高さがどんなに相違していても採用することができるのであり、高さの相違が仮に著しくても、床を占有する同じ平面スペースを同時に保証し得るのである。
【００６１】
ダイナモとして機能するジェネレータ４６と共に供給される本発明に従う垂直階段に組み込まれた機械的システム４は、下降操作形態の間に回収された電気的エネルギーを蓄えることができ、さらに、当該操作形態の安全性を保証する。バッテリーパックＥに蓄えられる当該エネルギーは、各ボードをリコールすると共に、垂直階段の操作のための警告灯やプッシュボタンを備えたコントロールパネルをコントロールする制御装置５を供給するために用いられる。
【００６２】
本発明に従う垂直階段は、好ましくは、以下の３つの態様で市場に提供される。
（１）基本バージョン：  ベアリング構造の外部本体はなく、全ての操作形態が完全にマニュアルであり、例えば、ボード３の機械的リコールはチェーンやベルトのような牽引手段によって行い、電力供給もない。
（２）標準バージョン：  円形または四角状本体からなり、ボード３のリコールは電気機械的に行い、電力供給は回収エネルギーを蓄えたバッテリーパックＥによって行う。
（３）高級バージョン：  本体はデザイン化され、ボード３のリコールは電気的に行い、さらに、オプションとして、機械的システム４と電子/電子機械的デバイスの電力供給は、エネルギー分配主要装置によって行う。
【符号の説明】
【００６３】
２：ベアリング構造
２２：ドア
２３：スペース
２４：手すり
３：ボード
３０：スリップ防止シート
３１：スライド
３２：固定手段
３３：補強部材
４：機械的システム
４０：ブロック装置
４１：ガイド
４２：牽引手段
４３：カウンターシャフト
４４：カウンターウエイト
４５：制御車輪
４６：ジェネレータ
４６０：トランスミッション・シャフト
４６２：トランスミッション・エレメント
５：制御装置
５１：センサ
Ａ：第１ステーション
Ｂ：第２ステーション
Ｃ：コールボタン
Ｄ：下降ボタン
Ｅ：バッテリーパック
Ｆ：ブロック・プッシュボタン
Ｓ’：第１シャフト
Ｓ：第２シャフト
Ｕ：利用者
Ｚ：（垂直）軸
【図１Ａ】
0006045502.tif 000002
【図１Ｂ】
0006045502.tif 000003
【図２Ａ】
0006045502.tif 000004
【図２Ｂ】
0006045502.tif 000005
【図３】
0006045502.tif 000006
【図４】
0006045502.tif 000007
【図５】
0006045502.tif 000008